【手続補正書】
【提出日】令和1年10月7日(2019.10.7)
【手続補正１】
【補正対象書類名】特許請求の範囲
【補正対象項目名】全文
【補正方法】変更
【補正の内容】
【特許請求の範囲】
【請求項１】
分散型工業プロセス監視及び分析システムであって、
プロセスを制御するように動作しているプロセスプラント内に埋め込まれた、複数の分散型データエンジン（ＤＤＥ）であって、前記ＤＤＥの各々が、前記プロセスプラントによって制御されている前記プロセスの結果としてデータを生成している、それぞれの１つ以上のデータソースに連結され、前記ＤＤＥの各々が、前記それぞれの１つ以上のデータソースによって生成されている前記データを記憶する、複数の分散型データエンジンと、
前記複数の分散型データエンジン間の分析データのストリーミング、及び前記複数のＤＤＥにおいて記憶されるデータに関するクエリの送信をサポートする、データ分析ネットワークと、を備える、システム。
【請求項２】
前記複数のＤＤＥのうちの少なくとも１つのＤＤＥが、前記プロセスを制御するように動作しているプロセス制御デバイスと一体である、請求項１に記載のシステム。
【請求項３】
前記プロセス制御デバイスが、前記プロセスを制御するように、プロセス制御通信ネットワークを通じて別のプロセス制御デバイスに信号を送信する、請求項２に記載のシステム。
【請求項４】
前記複数のＤＤＥにおいて記憶されるデータに関するクエリが、前記ＤＤＥ、ユーザインターフェイス、またはアプリケーションのうちの１つ以上によって生成される、請求項１〜請求項３の何れか１項に記載のシステム。
【請求項５】
前記複数のＤＤＥにおいて記憶される前記データに関する前記クエリが、２つ以上のＤＤＥにまたがって記憶されるデータに関するクエリを含む、請求項４に記載のシステム。
【請求項６】
前記複数のＤＤＥのうちの第１のＤＤＥが、前記第１のＤＤＥに連結される前記それぞれの１つ以上のデータソースが登録するクラスタを告知する、請求項１〜請求項５の何れか１項に記載のシステム。
【請求項７】
前記第１のＤＤＥに連結される前記それぞれの１つ以上のデータソースが、前記第１のＤＤＥによって告知される前記クラスタに、制御されている前記プロセスの結果として、前記それぞれの１つ以上のデータソースによって生成されている前記データを公開する、請求項６に記載のシステム。
【請求項８】
前記第１のＤＤＥによって公開されるデータが、前記第１のＤＤＥに連結される前記それぞれの１つ以上のデータソースによって生成されるデータの少なくとも一部を用いて前記第１のＤＤＥによって実施される、データ分析の結果を含む、請求項６又は請求項７に記載のシステム。
【請求項９】
前記第１のＤＤＥによって告知される前記クラスタがローカルクラスタであり、第２のＤＤＥが、前記第１のＤＤＥが登録し、かつ前記第１のＤＤＥがデータを公開するリージョナルクラスタを告知する、請求項６〜請求項８の何れか１項に記載のシステム。
【請求項１０】
前記リージョナルクラスタに対応する前記第２のＤＤＥが、別のリージョナルクラスタとのデータ交換を確立するために使用される、ロケーションサービスまたはデータディクショナリのうちの少なくとも１つを提供する、請求項９に記載のシステム。
【請求項１１】
１つ以上の追加的なローカルクラスタに対応する１つ以上の追加的なＤＤＥが、前記リージョナルクラスタに登録され、前記リージョナルクラスタにデータを公開する、請求項９又は請求項１０に記載のシステム。
【請求項１２】
第３のＤＤＥが、前記第２のＤＤＥが登録し、かつ前記第２のＤＤＥがデータを公開する集中型クラスタを告知する、請求項９〜請求項１１の何れか１項に記載のシステム。
【請求項１３】
１つ以上の追加的なリージョナルクラスタに対応する１つ以上の追加的なＤＤＥが、前記集中型クラスタに登録され、前記集中型クラスタにデータを公開する、請求項１２に記載のシステム。
【請求項１４】
前記集中型クラスタが、クラウドコンピューティング環境にホストされる、請求項１２又は請求項１３に記載のシステム。
【請求項１５】
前記プロセスプラントが、第１のプロセスプラントであり、かつ他のプロセスプラントに対応する他のクラスタが、前記集中型クラスタに登録され、前記集中型クラスタにデータを公開する、請求項１２〜請求項１４の何れか１項に記載のシステム。
【請求項１６】
前記集中型クラスタが、前記データ分析ネットワークに関する規則のセットを記憶し、前記規則のセットが、複製またはバックアップのうちの少なくとも１つに対応する規則を含む、請求項１２〜請求項１５の何れか１項に記載のシステム。
【請求項１７】
前記ＤＤＥのうちの少なくとも１つが、前記データ分析ネットワークに、前記ＤＤＥのうちの前記１つに対応する前記それぞれの１つ以上のデータソースによって生成されている前記データの少なくとも一部を公開し、
前記ＤＤＥのうちの別の１つが、前記ＤＤＥのうちの前記１つに対応する前記それぞれの１つ以上のデータソースによって生成されており、前記ＤＤＥのうちの前記１つによって公開されている前記データの前記少なくとも一部をサブスクライブする、請求項１〜請求項１６の何れか１項に記載のシステム。
【請求項１８】
前記ＤＤＥのうちの前記別の１つが、前記サブスクライブされるデータに対して１つ以上のデータ分析機能を実施する、請求項１７に記載のシステム。
【請求項１９】
前記ＤＤＥのうちの前記別の１つによって実施される前記１つ以上のデータ分析機能の結果が、前記データ分析ネットワークに公開される、請求項１８に記載のシステム。
【請求項２０】
前記データ分析ネットワークにおいて実行されて、前記１つ以上のＤＤＥにおいて記憶されるデータを獲得し、前記獲得したデータに対して１つ以上のデータ分析機能を実施して分析出力を生成する、データ分析モデルを更に備える、請求項１〜請求項１２の何れか１項に記載のシステム。
【請求項２１】
前記１つ以上のデータ分析機能が、記述的分析機能を含み、かつ前記分析出力が、前記記述的分析機能を実施することによって決定される、前記プロセスプラントの特性を含む、請求項２０に記載のシステム。
【請求項２２】
前記１つ以上のデータ分析機能が、予測的分析機能を含み、かつ前記分析出力が、前記予測的分析機能を実施することによって決定される、１つ以上の予測値を含む、請求項２０又は請求項２１に記載のシステム。
【請求項２３】
前記１つ以上の予測値が、予測されるパフォーマンスを示す値、予測される故障もしくは破損を示す値、予測される時間間隔を示す値、または前記プロセスプラントの少なくとも一部分の別の特性を示す値のうちの少なくとも１つを含む、請求項２２に記載のシステム。
【請求項２４】
前記１つ以上のデータ分析機能が、規定的分析機能を含み、かつ前記分析出力が、前記プロセスプラントに関する１つ以上の規定的アクションを含む、請求項２０〜請求項２３の何れか１項に記載のシステム。
【請求項２５】
前記１つ以上の規定的アクションが、前記プロセスプラント内の故障または破損の影響を軽減する、請求項２４に記載のシステム。
【請求項２６】
前記１つ以上の規定的アクションが、予測される事象または状態の発生の可能性を低下させ、前記予測される事象または状態が、前記プロセスプラントの少なくとも一部分の故障、破損、パフォーマンスのレベル、または劣化のレベルに対応する、請求項２４に記載のシステム。
【請求項２７】
データ分析ユーザインターフェイスアプリケーションを更に備え、これを介して、ユーザが、１つ以上のＤＤＥにおいて記憶されるデータを獲得し、前記１つ以上のＤＤＥから獲得した前記データに基づいて、前記プロセスプラントの１つ以上の値を予測する、データ分析モデルを開発する、請求項１〜請求項２６の何れか１項に記載のシステム。
【請求項２８】
前記データ分析モデルによって前記１つ以上のＤＤＥから獲得される前記データが、前記プロセスを制御している間に前記プロセスプラントによって生成される、連続的にアップデートされるデータを含み、かつ
前記データ分析モデルが、前記１つ以上のＤＤＥから獲得される前記連続的にアップデートされるデータに対して連続的に実行され、それによって連続出力を生成し、前記連続出力が、前記プロセスプラントの前記１つ以上の予測値に対する連続アップデートを含む、請求項２７に記載のシステム。
【請求項２９】
前記データ分析モデルによって前記１つ以上のＤＤＥから獲得される前記連続的にアップデートされるデータが、前記１つ以上のＤＤＥから前記データ分析モデルに前記データ分析ネットワークを介してストリーミングされるデータを含む、請求項２８に記載のシステム。
【請求項３０】
前記データ分析モデルが、前記データ分析ネットワークを介して、前記連続的にアップデートされるデータを獲得するように、前記１つ以上のＤＤＥにクエリを送信する、請求項２８又は請求項２９に記載のシステム。
【請求項３１】
前記データ分析モデルによって生成される前記連続出力が、連続的にアップデートされるグラフィカルビジュアリゼーションを用いて、ユーザインターフェイスに表示される、請求項２８又は請求項２９に記載のシステム。
【請求項３２】
前記１つ以上の予測値の前記連続的にアップデートされるグラフィカルビジュアリゼーションが、前記プロセスプラントによって生成され、かつ前記１つ以上の予測値に対応する、１つ以上の実測値の連続的にアップデートされるグラフィカルビジュアリゼーションと併せて、前記ユーザインターフェイスに表示される、請求項３１に記載のシステム。
【請求項３３】
前記データ分析モデルの精度の指標を呈示することを更に含み、前記精度が、前記１つ以上の予測値と、前記１つ以上の実測値との比較に基づく、請求項３２に記載のシステム。
【請求項３４】
前記データ分析モデルによって生成される前記連続出力が、前記複数のＤＤＥのうちの少なくとも１つにストリーミングされる、請求項２８〜請求項３３の何れか１項に記載のシステム。